(57)【要約】  本願発明は消費類電子製品領域に属するボルト隠し装置を提供する。前記装置は、ケース内に取り付けられ、前記ケースを固定連結するために使用され、前記ケースの一方のケース体に固定連結される駆動部と、前記駆動部と連結されるボルトと、前記ケースの他方のケース体に固定連結され、前記ボルトに適合するナットと、前記ボルトを前記ナットに対して移動するように駆動する前記駆動部に対し作動制御することで、前記ボルトと前記ナットとの螺合或いは分離を実現するチップと、を備える。本願発明の前記装置及び方法は、共にボルト隠しの構成を採用するので、内部に連結ロックアップされ、外部から全ての構成が見えないこと、繰り返し着脱しても部品を交換、廃棄する必要がないこと、チップにより駆動部を起動させノンプロの取り外しを防止でき、安全性を向上できることを実現できる。【選択図】図１
2015535754.tif 000002
【特許請求の範囲】
【請求項１】
ケース内に取り付けられ、前記ケースを固定連結させるために使用されるボルト隠し装置において、
前記ケースの一方のケース体に固定連結される駆動部と、
前記駆動部と連結されるボルトと、
前記ケースの他方のケース体に固定連結され、前記ボルトに適合するナットと、
前記ボルトを前記ナットに対して移動するように駆動する前記駆動部に対し作動制御することで、前記ボルトと前記ナットとの螺合或いは分離を実現するチップと、
を備えることを特徴とするボルト隠し装置。
【請求項２】
前記駆動部がサーボモーターであることを特徴とする請求項１に記載のボルト隠し装置。
【請求項３】
前記ケースは前ケースと後ケースとを備え、
前記駆動部は前記前ケースに固定連結され、
前記ナットは前記後ケースに固定連結される
ことを特徴とする請求項１に記載のボルト隠し装置。
【請求項４】
前記駆動部と前記ケースの一方のケース体との固定連結は、粘着方式、或いはボルト連結方式、或いはバヨネット連結方式を使用できることを特徴とする請求項１に記載のボルト隠し装置。
【請求項５】
前記ナットと前記ケースの他方のケース体との固定連結は、インサート成型方式、熱圧着方式、或いは接着連結方式を使用できることを特徴とする請求項１に記載のボルト隠し装置。
【請求項６】
請求項１に記載のボルト隠し装置に適用される締付方法において、
前記チップにより前記駆動部を作動させるステップ１００と、
前記駆動部により前記ボルトを移動させることで、前記ボルトと前記ナットとの螺合或いは分離を実現して、前記ケースの連結或いは分離を実現するステップ２００と、
を含むことを特徴とする締付方法。
【請求項７】
前記ステップ１００において、
ユーザは製品コントロールインターフェイスを介して、正確なパスワードを入力し、前記チップにより前記駆動部を作動させることを特徴とする請求項６に記載の締付方法。
【請求項８】
前記駆動部がサーボモーターであることを特徴とする請求項６に記載の締付方法。
【請求項９】
前記駆動部と前記ケースの一方のケース体との固定連結は、粘着方式、或いはボルト連結方式、或いはバヨネット連結方式を使用できることを特徴とする請求項６に記載の締付方法。
【請求項１０】
前記ナットと前記ケースの他方のケース体との固定連結は、インサート成型方式、熱圧着方式、或いは接着連結方式を使用できることを特徴とする請求項１乃至９のいずれか一つに記載の締付方法。
【発明の詳細な説明】
【相互参照】
【０００１】
本願は、出願番号がＣＮ２０１３１０４４４５７３．９であって、出願日が２０１３年９月２３日である中国特許出願に基づき優先権を主張し、当該中国特許出願のすべての内容を本願に援用する。
【技術分野】
【０００２】
本出願は、消費類電子製品領域に係わり、特に、ボルト隠し装置及び締付方法に係わる。
【背景技術】
【０００３】
消費類電子製品は、主にディジタルカメラ、携帯電話、タブレット、家庭用オフィス機器等を含む。消費類電子製品の普及に従い、製品の外形に対するユーザの要求は益々厳しくなる。ユーザは、製品の表面が、整然、精巧で、隙間なく結合され、かつ無駄な特徴を有しないことを望んでいる。しかし、常用の固定用具であるボルトまたはネジは、通常ユーザに観察されるようになっている。例えば、ｉｐｈｏｎｅ４、ｉｐｈｏｎｅ５、ＳａｍｓｕｎｇＳ４の電池カバーを取外すとすぐボルトまたはネジの構成が観察されるが、これらの観察可能なボルトまたはネジの構成はユーザの購入意欲に影響する要因になり得る。
【０００４】
無駄な構成がユーザに観察されることを避けるために、通常、ボルトまたはネジを遮るような締付方法を採用する。例えば、タブレットの設計において、前ケースアッセンブリーがボルトまたはネジ及びバヨネット等の構成を利用して後ケースに連結され、両面テープで表示モジュールを前ケースアッセンブリーに貼り付けることで、例えばボルトまたはネジ等の美感なしの構成を遮る。しかし、上記の連結方法において、次のような欠陥が存在している。
【０００５】
第１に、メンテナンスのとき、熱風で加熱し且つ吸盤で表示モジュールを吸着することで分離できるので、メンテナンスの実施が困難であり、第２に、両面テープが使い捨て用品なので、取り外すと廃棄及び取り替える必要があり、第３に、ユーザ或いはノンプロが取り外すことができ、損傷しやすくなる。
【発明の概要】
【０００６】
背景技術におけるメンテナンスが困難、取り外すと廃棄及び取替必要があり、及び損傷し易い課題を解決するために、本願発明の実施例は、ボルト隠し装置及び締付方法を提供する。本願の技術方案は、下記の如きである。
【０００７】
本願発明の第一局面は、ケース内に取り付けられ、前記ケースを固定連結させるために使用されるボルト隠し装置において、前記ケースの一方のケース体に固定連結される駆動部と、前記駆動部と連結されるボルトと、前記ケースの他方のケース体に固定連結され、前記ボルトに適合するナットと、前記ボルトを前記ナットに対して移動するように駆動する前記駆動部に対し作動制御することで、前記ボルトと前記ナットとの螺合或いは分離を実現するチップと、を備えるボルト隠し装置を提供する。
【０００８】
一実施例において、前記駆動部がサーボモーターである。
【０００９】
一実施例において、前記ケースは前ケースと後ケースとを備え、前記駆動部は前記前ケースに固定連結され、前記ナットは前記後ケースに固定連結される。
【００１０】
一実施例において、前記駆動部と前記ケースの一方のケース体との固定連結は、粘着方式、或いはボルト連結方式、或いはバヨネット連結方式を使用できる。
【００１１】
一実施例において、前記ナットと前記ケースの他方のケース体との固定連結は、インサート成型方式、熱圧着方式、或いは接着連結方式を使用できる。
【００１２】
本願発明の第二局面は、前記ボルト隠し装置に適用され、前記チップにより前記駆動部を作動させるステップ１００と、前記駆動部により前記ボルトを移動させることで、前記ボルトと前記ナットとの螺合或いは分離を実現して、前記ケースの連結或いは分離を実現するステップ２００と、を含むことを特徴とする締付方法を提供する。
【００１３】
一実施例において、前記の締付方法において、前記ステップ１００において、ユーザは製品コントロールインターフェイスを介して、正確なパスワードを入力し、前記チップにより前記駆動部を作動させる。
【００１４】
一実施例において、前記駆動部がサーボモーターである。
【００１５】
一実施例において、前記駆動部と前記ケースの一方のケース体との固定連結は、粘着方式、或いはボルト連結方式、或いはバヨネット連結方式を使用できる。
【００１６】
一実施例において、前記ナットと前記ケースの他方のケース体との固定連結は、インサート成型方式、熱圧着方式、或いは接着連結方式を使用できる。
【００１７】
本願発明の実施例の技術案は以下の有益な効果を有する。
【００１８】
本願発明の前記装置及び方法は、共にボルト隠しの構成を採用するので、内部に連結ロックアップされ、外部から全ての構成が見えないこと、繰り返し着脱しても部品を交換、廃棄する必要がないこと、チップで駆動部を動作させノンプロの取り外しを防止でき、安全性を向上できることを実現できる。
【００１９】
以上の説明と後の詳細な説明は例示と解釈に用いられるものであり、本発明を限定するものではないと理解すべきである。
【図面の簡単な説明】
【００２０】
ここの図面は、本明細書に記入され、本明細書の一部とし、本発明に適切な実施例を示し、明細書とともに本発明の思想を解釈する。
【００２１】
【図１】本願発明の実施例のボルト隠し装置の構成図である。
【発明を実施するための形態】
【００２２】
本願発明の目的、技術案及びメリットを明瞭にするために、図面を参照し、本願発明の実施形態を詳細に説明する。
【００２３】
実施例１
【００２４】
図１に示すように、本出願発明の実施例は、ボルト隠し装置を提供する。本実施例は、携帯電話を例とする。前記ボルト隠し装置は、ケース内に取付けられ、前記ケース１とケース４とを固定連結するために使用される。前記ボルト隠し装置は、駆動部２と、ボルト３と、ナット５と、チップ（図示せず）とを備える。前記駆動部２は、前記ケース中のケース体１とケース体４との一方に固定連結され、前記ボルト３と連結される。前記ナット５が前記ケース中のケース体１とケース体４との他方に固定連結され、前記ナット５と前記ボルト３とが適合する。前記チップ（図示せず）が、前記ボルト３を前記ナット５に対して移動させるように駆動する前記駆動部２に対し作動制御することで、前記ボルト３と前記ナット５との螺合或いは分離を実現する。
【００２５】
一実施例において、前記ボルト３は、前記駆動部２が起動された後、螺進或いは螺退の動作をするとともに、軸線方向に沿う水平運動をするので、前記ボルト３と前記ナット５とを位置合わせて螺合或いは分離を行うと、前記ケースの連結或いは分離を実現できる。
【００２６】
本願発明の前記装置は、ボルト隠し３の構成を採用するので、内部に連結ロックアップされ、外部から全ての構成が見えないこと、繰り返し着脱しても部品を交換、廃棄する必要がないこと、チップにより駆動部２を起動しノンプロの取り外しを防止でき、安全性を向上できることを実現できる。
【００２７】
一実施例において、前記駆動部２がサーボモーターである。勿論、他のモーターを選択できる。
【００２８】
一実施例において、前記ケースは前ケース１と後ケース４とを備え、前記駆動部２が前記前ケース１に固定連結され、前記ナット５が前記後ケース４に固定連結される。
【００２９】
一実施例において、前記駆動部２と前記ケースの一方のケース体との固定連結は、粘着方式、或いはボルト３連結方式、或いはバヨネット連結方式を使用できる。実施例において、前記駆動部２と前記ケースの一方のケース体とが粘着で固定連結される。
【００３０】
一実施例において、前記ナット５と前記ケースの他方のケース体との固定連結は、インサート成型方式、或いは熱圧着方式、或いは接着連結方式を使用できる。実施例において、前記ナット５と前記ケースの他方のケース体とがインサート成型で固定連結される。
【００３１】
実施例２
【００３２】
図１を参照し、本願発明の実施例は、前記ボルト隠し装置に用いる締付方法を提供する。
【００３３】
前記締付方法は、
前記チップにより前記駆動部２を作動させるステップ１００と、
前記駆動部２により前記ボルト３を移動させることで、前記ボルト３と前記ナット５との螺合或いは分離を実現し、前記ケースの連結或いは分離を実現するステップ２００とを含む。
【００３４】
本願発明の前記装置及び方法は、共にボルト隠しの構成を採用するので、内部に連結ロックアップされ、外部から全ての構成が見えないこと、繰り返し着脱しても部品を交換、廃棄する必要がないこと、チップで駆動部２を起動しノンプロの取り外しを防止でき、安全性を向上できることを実現できる。
【００３５】
本願発明の前記方法は、前記装置の全ての技術案を引用し、ボルト隠しの構成を採用するので、内部に連結ロックアップされ、外部から全ての構成が見えないと、繰り返し着脱しても部品を交換、廃棄する必要がないこと、ユーザがパスワード設定等のセキュリティ方式を採用しノンプロの取外しを防止できることを実現できる。実施例において、内部に連結ロックアップされることは、前ケース１と後ケース４との２つの外部の部品の連結固定が、十分な強度で部品内部の構成で実現されることを指す。
【００３６】
一実施例において、前記ステップ１００は、ユーザが製品コントロールインターフェイスを介して、正確なパスワードを入力し、前記チップにより前記駆動部２を作動させることを含む。上記方法によって、ユーザがパスワード設定等のセキュリティ方式を採用することで、ノンプロの取外しを防止でき、製品の安全性を向上できる。
【００３７】
一実施例において、前記駆動部２がサーボモーターである。勿論、他のモーターを選択できる。
【００３８】
一実施例において、前記ケースが、前ケース１と後ケース４とを備え、前記駆動部２が前記前ケース１に固定連結され、前記ナット５が前記後ケース４に固定連結される。
【００３９】
一実施例において、前記駆動部２と前記ケースの一方のケース体との固定連結は、粘着方式、或いはボルト連結方式、或いはバヨネット連結方式を使用できる。実施例において、前記駆動部２と前記ケースの一方のケース体とが粘着で固定連結される。
【００４０】
一実施例において、前記ナット５と前記ケースの他方のケース体との固定連結は、インサート成型方式、或いは熱圧着方式、或いは接着連結方式を使用できる。実施例において、前記ナット５と前記ケースの他方のケース体とがインサート成型で固定連結される。
【００４１】
上記の本願発明の実施例の番号は説明するためのものであり、実施例の優劣を表していない。
【００４２】
以上、前記内容は、本願発明の好ましい実施例であり、本願発明の範囲を限定するものではない。本願発明の主旨と原則の上での修正、均等な取替、改善等は、本願発明の保護範囲に含まれる。
【符号の説明】
【００４３】
１  前ケース、２  駆動部、３  ボルト、４  後ケース、５  ナット
【図１】
2015535754.tif 000003
【国際調査報告】
2015535754.tif 000004
2015535754.tif 000005
2015535754.tif 000006
2015535754.tif 000007